(57)【要約】【課題】耐久性に優れ、地球の環境を悪化させることなく、リサイクル利用が可能なフライトを備えた汚泥掻寄機用フライトを提供する。【解決手段】その両端部が２組の無端チェン１４に連結され、この無端チェン１４がその長さ方向に循環移動することにより沈殿池の底部に沈殿した汚泥を底部に沿って掻き寄せる汚泥掻寄機用フライト３２であって、オーステナイト系ステンレス鋼により形成すると共に、断面形状がほぼコの字状に折り曲げて形成され、かつコの字の両脚部３２ａ，３２ｂの各先端部が内側に折り曲げられるように形成した。【効果】その材質にオーステナイト系のステンレス鋼が用いられているため、著しく耐久性に優れると共に、その廃棄処分時に地球の環境を悪化させることが無く、リサイクル利用をも可能にすることができる。【選択図】      図６
2004223390.tif 000002
【特許請求の範囲】
【請求項１】
その両端部が２組の無端チェンに連結され、この無端チェンがその長さ方向に循環移動することにより沈殿池の底部に沈殿した汚泥を底部に沿って掻き寄せる汚泥掻寄機用フライトであって、
オーステナイト系ステンレス鋼により形成すると共に、
断面形状がほぼコの字状に折り曲げて形成され、かつコの字の両脚部の各先端部が内側に折り曲げられるように形成された
ことを特徴とする汚泥掻寄機用フライト。
【請求項２】
前記断面形状のコの字の両肩部の一方に、前記両脚部とほぼ直角方向に突出する突出部が形成されたことを特徴とする請求項１に記載の汚泥掻寄機用フライト。
【請求項３】
前記断面形状のコの字の両肩部の一方に、前記両脚部に対してほぼ４５°傾斜した傾斜部が形成されたことを特徴とする請求項１に記載の汚泥掻寄機用フライト。
【請求項４】
前記断面形状のコの字の両脚部間をほぼ直角方向に連結する連結部の一方の側部に段差部が形成されたことを特徴とする請求項１に記載の汚泥掻寄機用フライト。
【請求項５】
前記断面形状のコの字の両脚部間をほぼ直角方向に連結する連結部の中央部に凹部が形成されたことを特徴とする請求項１に記載の汚泥掻寄機用フライト。
【請求項６】
前記断面形状のコの字の両脚部間をほぼ直角方向に連結する連結部の中央部に凸部が形成されたことを特徴とする請求項１に記載の汚泥掻寄機用フライト。
【請求項７】
長さ方向に間隔おいて複数の補強部材を内側に固定すると共に、この補強部材を介して前記無端チェンのアタッチメントに取り付けられることを特徴とする請求項１に記載の汚泥掻寄機用フライト。
【請求項８】
前記補強部材、及びこれをフライトに固定するための部材と同一材料を用いたことを特徴とする請求項７に記載の汚泥掻寄機用フライト。
【発明の詳細な説明】
【０００１】
【発明の属する技術分野】
本発明は、水処理設備、例えば、下水道の下水処理設備の１つを構成する沈殿池に設けられる汚泥掻寄機に関し、特にその汚泥掻寄機用のフライトに関するものである。
【０００２】
【従来の技術】
家庭や職場等からの下水や雨水等の廃水は、下水道の下水処理設備としての中継ポンプ場、沈砂池、最初沈殿池、曝気槽、最終沈殿池、滅菌槽等を経て浄化され、最後は川や海等に放流されるようになっている。
【０００３】
このような下水道の下水処理設備のうちの、最初沈殿池や最終沈殿池等の沈殿池の中には汚泥掻寄機が設けられる。そして、この汚泥掻寄機により沈殿池の底にたまった各種成分から成る汚泥を沈殿池の底部に沿って掻き寄せて、その集めた汚泥をポンプで吸い出して外へ排出するようになっている。
【０００４】
このような汚泥掻寄機は、図１９に示すように、複数の長い板状のフライト１２の両端部が、２組の無端チェン１４に適当な間隔で設置されている。
【０００５】
そして、その無端チェン１４をその長さ方向に循環移動させることにより、汚泥掻き寄せ用のフライト１２を矢印方向に移動させて、汚泥を沈殿池の底部に沿って掻き寄せるようになっている。
【０００６】
すなわち同図において、無端チェン１４は、駆動スプロケットホイール１６、従動スプロケットホイール１８、テールスプロケットホイール２０、中間スプロケットホイール２２の各々に掛渡されて、駆動スプロケットホイール１６が図示していないモータによってその回転を駆動されることにより、無端チェン１４はその長さ方向に循環移動するようになっている。
【０００７】
このような無端チェン１４に適当な間隔で設置されるフライト１２は、従来は米桧等の木材や、ＦＲＰ（Ｆｉｂｅｒ  ｇｌａｓｓ  Ｒｅｉｎｆｏｒｃｅｄ  Ｐｌａｓｔｉｃｓ）等のプラスチック材等の材質により形成されていた。
【０００８】
【発明が解決しようとする課題】
しかしながら、上記従来の木材により形成されたフライト１２は、プラスチックに比べて耐久性が著しく劣ると共に、その廃棄処分時の焼却の際に、二酸化炭素（ＣＯ２）等の発生により地球の環境を悪化させるという問題があった。また、プラスチックにより形成されたフライト１２は、その耐久性はともかくとして、やはりその廃棄処分時に地球の環境を悪化させると共に、リサイクル利用が難しいという問題があった。
【０００９】
そこで本発明は、上記問題点に鑑みて、耐久性に優れ、地球の環境を悪化させることなく、リサイクル利用が可能なフライトを備えた汚泥掻寄機用フライトを提供することを課題とするものである。
【００１０】
【課題を解決するための手段】
上記課題を解決するために本発明は、
その両端部が２組の無端チェンに連結され、この無端チェンがその長さ方向に循環移動することにより沈殿池の底部に沈殿した汚泥を底部に沿って掻き寄せる汚泥掻寄機用フライトであって、
オーステナイト系ステンレス鋼により形成すると共に、
断面形状がほぼコの字状に折り曲げて形成され、かつコの字の両脚部の各先端部が内側に折り曲げられるように形成されたものである。
【００１１】
【発明の実施の形態】
以下、本発明の実施の形態について、図面に基づいて具体的に説明する。
図１ないし図６は、本発明の第１の実施の形態について説明するために参照する図である。前記従来の汚泥掻寄機と同様の構成部分についての重複する説明は省略する。
【００１２】
図１は、本発明の第１の実施の形態に係る汚泥掻寄機用のフライト３２を示す正面図であり、このフライト３２の両端部は、２組の無端チェン１４のアタッチメントに連結され、この無端チェン１４が沈殿池の底面に近づいたときにその下側に配置されるように取り付けられている。図２はフライト３２の上面図、図３はその下面図である。
【００１３】
図４は、図１に示すフライト３２の右側面図である。アタッチメント１４ｂが一体形成されたリンクプレート１４Ａは、無端チェン１４に適当な間隔で複数設置されている。アタッチメント１４ｂには、図５に示すような、コの字状の断面を有する補強部材３４がボルト・ナットにより取付けられている。補強部材３４とアタッチメント１４ｂとの固定は、溶接等の手段を用いてもよい。
【００１４】
そして、この補強部材３４には、図６に示すような、ほぼコの字状の断面を有するフライト３２が互いに向き合ってその外側に嵌合し、それらの図中上下部が図示してないボルト・ナットや溶接等により互いに固定されている。
【００１５】
フライト３２は、図６に示すように、その断面がほぼコの字状に形成されており、その図中上下部において水平方向に伸びる両脚部３２ａ，３２ｂと、この両脚部３２ａ，３２ｂ間を直角方向に連結して図中上下方向に伸びる連結部３２ｃとから概略構成されている。
【００１６】
そして、脚部３２ａと連結部３２ｃとが交差する図中上方の肩部には、両脚部３２ａに対してほぼ４５°傾斜した傾斜部３２ｄが形成され、脚部３２ｂと連結部３２ｃとが交差する他方の肩部には、脚部３２ｂと直角方向に突出する突出部３２ｅが形成されている。
【００１７】
この突出部３２ｅは、図１に示すように、図示してない沈殿池の底面上のレールと摺動するシューが取り付けられる部分に、切欠き３２ｆが形成されている。このような突出部３２ｅは、フライト３２が沈殿池の底面に沿って移動するときに沈殿池の底面上の汚泥を効率よく掻き寄せる働きをする部分である。
【００１８】
このようなフライト３２は、その材質に、ＳＵＳ３０４等のオーステナイト系のステンレス鋼が用いられている。このため、著しく耐久性に優れると共に、その廃棄処分時に地球の環境を悪化させることが無く、リサイクル利用をも可能にすることができる。なおフライト３２は、ＳＵＳ３０４以外のオーステナイト系のステンレス鋼を用いてもよい。
【００１９】
また、フライト３２は、その重量化を避けるために厚さ０．８ｍｍ位の板材を用い、曲げ加工機により折り曲げ加工をして、図６に示すような断面形状に形成したものである。フライト３２をこのような断面形状に形成すると共に、その内側に図５に示すような、厚さ３ｍｍ位の補強部材３４を、フライト３２の長さ方向に間隔おいて複数、嵌合させて固定することにより、フライト３２の曲げや捩れに対する強度を向上させることができる。
【００２０】
また、フライト３２にはオーステナイト系のステンレス鋼が用いられるが、補強部材３４やリンクプレート１４Ａ、或はボルト・ナットの材料にも同じオーステナイト系のステンレス鋼が用いられることが望ましい。このように互いに連結する部材の材料に同じ材料を用いることにより、異種金属を用いた場合に液体中で異種金属間に電流が流れることにより生ずる腐食を防止することができる。
【００２１】
なお、図７に示すような、本発明の第２の実施の形態に係る汚泥掻寄機用のフライト４２のように、その断面形状を、突出部４２ｅと反対側の肩部Ｓに、フライト３２が有する傾斜部３２ｄのような傾斜部が無いように形成してもよい。
【００２２】
また、図８に示すような、本発明の第３の実施の形態に係る汚泥掻寄機用のフライト４４のように、その断面形状を、傾斜部４４ｄと反対側の肩部Ｓに、フライト４２が有する突出部４２ｅのような突出部が無いように形成してもよい。
【００２３】
また、図９に示すような、本発明の第４の実施の形態に係る汚泥掻寄機用のフライト４６のように、その断面形状を、その両肩部Ｓに、フライト３２が有する傾斜部３２ｄのような傾斜部も、突出部３２ｅのような突出部も無いように形成してもよい。
【００２４】
また、図１０に示すような、本発明の第５の実施の形態に係る汚泥掻寄機用のフライト４８のように、その断面形状を、傾斜部４８ｄと反対側の肩部に、他部より高さが低くなるような段差部４８ｇを形成してもよい。
【００２５】
また、図１１に示すような、本発明の第６の実施の形態に係る汚泥掻寄機用のフライト５０のように、その断面形状を、傾斜部５０ｄと反対側の、段差部５０ｇがある方の肩部に、脚部５０ｂと直角方向に突出する突出部５０ｅを形成してもよい。
【００２６】
また、図１２に示すような、本発明の第７の実施の形態に係る汚泥掻寄機用のフライト５２のように、その断面形状を、傾斜部５２ｄと反対側の肩部Ｓには何も形成しないと共に、その連結部５２ｃの中央部にＶ字状の凹部５２ｈを形成してもよい。
【００２７】
また、図１３に示すような、本発明の第８の実施の形態に係る汚泥掻寄機用のフライト５４のように、その断面形状を、傾斜部５４ｄと反対側の肩部に、脚部５４ｂと直角方向に突出する突出部５４ｅを形成すると共に、その連結部５２ｃの中央部にＶ字状の凹部５２ｈを形成してもよい。
【００２８】
また、図１４に示すような、本発明の第９の実施の形態に係る汚泥掻寄機用のフライト５６のように、その断面形状を、その連結部５６ｃの中央部に、図１３のフライト５６が有するようなＶ字状の凹部５４ｈの代りに、三角山状の凸部５６ｉを形成してもよい。
【００２９】
また、図１５に示すような、本発明の第１０の実施の形態に係る汚泥掻寄機用のフライト５８のように、その断面形状を、その連結部５８ｃの中央部に、図１３のフライト５４が有するような凹部５４ｈの代りに、台形状の凹部５８ｊを形成してもよい。
【００３０】
また、図１６に示すような、本発明の第１１の実施の形態に係る汚泥掻寄機用のフライト６０のように、その断面形状を、傾斜部６０ｄと反対側の肩部Ｓに、図１４のフライト５６が有する突出部５６ｅのような突出部が無いように形成してもよい。
【００３１】
また、図１７に示すような、本発明の第１２の実施の形態に係る汚泥掻寄機用のフライト６２のように、その断面形状を、傾斜部６２ｄと反対側の肩部Ｓには、図１５のフライト５８が有する突出部５８ｅのような突出部が無いように形成してもよい。
【００３２】
さらに、上記第１ないし第１２の実施の形態に係るフライト３２等の両脚部３２ａ，３２ｂの先端部は、９０°で２回折り曲げた形状になっていたが、図１８に示すような、本発明の汚泥掻寄機の第１３の実施の形態に係るフライト６４のように、その両脚部６４ａ，６４ｂの先端部を鋭角で１回だけ折り曲げた形状にしてもよい。
【００３３】
また、上記第１ないし第１２の実施の形態に係るフライト３２等の突出部３２ｅの先端部も、９０°で２回折り曲げた形状になっていたが、図１８の第１３の実施の形態に係るフライト６４のように、その突出部６４ｅの先端部を鋭角で１回だけ折り曲げた形状にしてもよい。
【００３４】
なお、上記実施の形態においては下水道の下水処理設備のうちの沈殿池に設ける汚泥掻寄機に用いられるフライトについて説明したが、下水道の下水処理設備以外の水処理設備の沈殿池に設ける汚泥掻寄機用のフライトにも本発明は適用することができる。
【００３５】
【発明の効果】
以上説明したように、本発明の汚泥掻寄機用フライトによれば、その材質にオーステナイト系のステンレス鋼が用いられているため、著しく耐久性に優れると共に、その廃棄処分時に地球の環境を悪化させることが無く、リサイクル利用をも可能にすることができる。
【００３６】
また、フライトの断面形状がほぼコの字状に折り曲げて形成され、かつコの字の両脚部の各先端部が内側に折り曲げられるように形成されたことにより、フライトの曲げや捩れに対する強度を向上させることができると共に、フライトの厚さを薄くすることができてその重量化を防止することができる。
【図面の簡単な説明】
【図１】本発明の第１の実施の形態に係る汚泥掻寄機用のフライト３２を示すその正面図である。
【図２】図１におけるフライト３２の上面図である。
【図３】図１におけるフライト３２の下面図である。
【図４】図１におけるフライト３２の右側面拡大図である。
【図５】図４における補強部材３４を示す図であり、図５（ａ）はその正面図、図５（ｂ）はその右側面断面図である。
【図６】図４におけるフライト３２を示すその拡大断面図である。
【図７】本発明の第２の実施の形態に係る汚泥掻寄機用のフライト４２を示すその拡大断面図である。
【図８】本発明の第３の実施の形態に係る汚泥掻寄機用のフライト４４を示すその拡大断面図である。
【図９】本発明の第４の実施の形態に係る汚泥掻寄機用のフライト４６を示すその拡大断面図である。
【図１０】本発明の第５の実施の形態に係る汚泥掻寄機用のフライト４８を示すその拡大断面図である。
【図１１】本発明の第６の実施の形態に係る汚泥掻寄機用のフライト５０を示すその拡大断面図である。
【図１２】本発明の第７の実施の形態に係る汚泥掻寄機用のフライト５２を示すその拡大断面図である。
【図１３】本発明の第８の実施の形態に係る汚泥掻寄機用のフライト５４を示すその拡大断面図である。
【図１４】本発明の第９の実施の形態に係る汚泥掻寄機用のフライト５６を示すその拡大断面図である。
【図１５】本発明の第１０の実施の形態に係る汚泥掻寄機用のフライト５８を示すその拡大断面図である。
【図１６】本発明の第１１の実施の形態に係る汚泥掻寄機用のフライト６０を示すその拡大断面図である。
【図１７】本発明の第１２の実施の形態に係る汚泥掻寄機用のフライト６２を示すその拡大断面図である。
【図１８】本発明の第１３の実施の形態に係る汚泥掻寄機用のフライト６４を示すその拡大断面図である。
【図１９】従来の汚泥掻寄機に設けられる無端チェン１４の全体を概略的に示す側面図である。
【符号の説明】
１２  フライト
１４  無端チェン
１４Ａ  リンクプレート
１４ｂ  アタッチメント
１６  駆動スプロケットホイール
１８  従動スプロケットホイール
２０  テールスプロケットホイール
２２  中間スプロケットホイール
３２  フライト
３２ａ，３２ｂ  脚部
３２ｃ  連結部
３２ｄ  傾斜部
３２ｅ  突出部
３２ｆ  切欠き
３４  補強部材
４２  フライト
４２ｅ  突出部
４４ｄ  傾斜部
４６  フライト
４８  フライト
４８ｄ  傾斜部
４８ｇ  段差部
５０  フライト
５０ｂ  脚部
５０ｄ  傾斜部
５０ｅ  突出部
５０ｇ  段差部
５２  フライト
５２ｃ  連結部
５２ｄ  傾斜部
５２ｈ  凹部
５４  フライト
５４ｂ  脚部
５４ｄ  傾斜部
５４ｅ  突出部
５４ｈ  凹部
５６  フライト
５６ｄ  傾斜部
５６ｅ  突出部
５６ｉ  凸部
５８  フライト
５８ｃ  連結部
５８ｅ  突出部
５８ｊ  凹部
６０  フライト
６０ｄ  傾斜部
６０ｉ  凸部
６２  フライト
６２ｄ  傾斜部
６２ｊ  凹部
６４  フライト
６４ａ，６４ｂ  脚部
６４ｅ  突出部
Ｓ  肩部
【図１】
2004223390.tif 000003
【図２】
2004223390.tif 000004
【図３】
2004223390.tif 000005
【図４】
2004223390.tif 000006
【図５】
2004223390.tif 000007
【図６】
2004223390.tif 000008
【図７】
2004223390.tif 000009
【図８】
2004223390.tif 000010
【図９】
2004223390.tif 000011
【図１０】
2004223390.tif 000012
【図１１】
2004223390.tif 000013
【図１２】
2004223390.tif 000014
【図１３】
2004223390.tif 000015
【図１４】
2004223390.tif 000016
【図１５】
2004223390.tif 000017
【図１６】
2004223390.tif 000018
【図１７】
2004223390.tif 000019
【図１８】
2004223390.tif 000020
【図１９】
2004223390.tif 000021